(57)【要約】【課題】製造上の理由で水の浸入経路となりそうな孔が存在する場合にも、その孔を塞ぐ簡単な工夫を講じることで防水性を高める。【解決手段】コネクタフレーム５０の側壁５１の外面に、湾曲した付け根部６２を介して下端が側壁に連結され、その付け根部から側壁の外面との間に撓み空間６４を保った状態で上方に延在する片持支持の帯板状のロックアーム６１を設け、ロックアームの付け根部に撓み性を増すスリット６５を設け、ロックアームの外面に係止突起６３が設けられている。箱本体１に嵌合側壁３Ａを設け、嵌合側壁の外側に、内面にロック突起１２を持つロック壁１１を設けている。ロック突起は下向きの係止面１２ａを有し、嵌合側壁とロック壁の間に、係止面を成形する金型の抜き孔１３がある。嵌合側壁の上端に、ロックアームの付け根部に当接することで、金型の抜き孔とロックアームのスリットの連通を遮断する当接面１５を設けている。【選択図】図１０
2008167536.tif 000002
【特許請求の範囲】
【請求項１】
上方から部品が収納される収納ボックスの側壁と前記部品の側壁との間に設けられるロック機構において、
前記部品の側壁の外面に、湾曲した付け根部を介して下端が前記側壁に連結されると共に、その湾曲した付け根部から前記側壁の外面との間に撓み空間を保った状態で上方に延在する片持支持の帯板状のロックアームが設けられ、該ロックアームの下端の湾曲した付け根部の幅方向の中間部に、該ロックアームの撓み性能を増すためのスリットが設けられ、また、該ロックアームの外面に、上向きの係止面を有した係止突起が設けられ、一方、前記収納ボックスに、前記部品の側壁が上方から嵌合する嵌合側壁が設けられ、その嵌合側壁の外側に、該嵌合側壁と略平行に、内面にロック突起を有する板状のロック壁が設けられ、該ロック突起は、前記ロックアームの係止突起と係合する下向きの係止面を有し、前記嵌合側壁とロック壁の間には、前記係止面を成形するための金型の抜き孔が設けられ、さらに、前記収納ボックスの嵌合側壁の上端に、前記ロックアームの付け根部の湾曲した外面に当接することで、前記収納ボックス側の金型の抜き孔と前記部品側のスリットの連通を遮断する当接面が設けられていることを特徴とするロック機構。
【請求項２】
請求項１に記載のロック機構であって、
前記ロックアームの両側に上下方向に沿ったスライドガイドが設けられると共に、前記ロック壁の内面に、前記ロック突起の両側に位置させて、前記ロックアーム側のスライドガイドと上下方向スライド自在に係合するスライドガイドが設けられていることを特徴とするロック機構。
【発明の詳細な説明】
【技術分野】
【０００１】
本発明は、自動車に搭載される電気接続箱などに主に適用されるロック機構に関する。
【背景技術】
【０００２】
自動車に搭載される電気接続箱においては、樹脂成形された部品と部品を結合する場合に、各部品に一体成形されたロック機構が用いられる。例えば、特許文献１では、電装品装着ブロックと、その底面を覆うロアカバーとの周縁部にロック機構が設けられている。
【０００３】
この種のロック機構は、部品を収納する収納ボックスと収納される部品との間にもよく設けられる。ロック機構のタイプとしては、色々なものがあるが、部品側の側壁の外面に、係止突起を有するロックアームを一体成形により設け、収納ボックス側の側壁の内面に、前記係止突起と係合するロック突起を一体成形により設け、上から部品を収納ボックス内に挿入した際に、ロックアームが撓むことにより、ロックアーム上の係止突起が収納ボックス側のロック突起を乗り越えて、上方へ部品が抜けないように、係止突起とロック突起が互いにロックするものがある。
【特許文献１】特開２００２−３５４６３２号公報
【発明の開示】
【発明が解決しようとする課題】
【０００４】
ところで、エンジンルーム内に搭載される電気接続箱のように、外部からの水の浸入を嫌うものの場合、防水性に配慮した構造を採ることが要求される。この点、樹脂成形品に設けられたロック機構は、複雑な形状をなしている関係から、成形上の理由等により水の浸入経路となりそうな孔が存在しやすい。
【０００５】
本発明は、上記事情を考慮し、製造上の理由（例えば、経済的に成形するという理由）などで、水の浸入経路となりそうな孔が存在する場合にも、その孔を塞ぐ簡単な工夫を講じることにより、防水性を高めることのできるロック機構を提供することを目的とする。
【課題を解決するための手段】
【０００６】
請求項１の発明は、上方から部品が収納される収納ボックスの側壁と前記部品の側壁との間に設けられるロック機構において、前記部品の側壁の外面に、湾曲した付け根部を介して下端が前記側壁に連結されると共に、その湾曲した付け根部から前記側壁の外面との間に撓み空間を保った状態で上方に延在する片持支持の帯板状のロックアームが設けられ、該ロックアームの下端の湾曲した付け根部の幅方向の中間部に、該ロックアームの撓み性能を増すためのスリットが設けられ、また、該ロックアームの外面に、上向きの係止面を有した係止突起が設けられ、一方、前記収納ボックスに、前記部品の側壁が上方から嵌合する嵌合側壁が設けられ、その嵌合側壁の外側に、該嵌合側壁と略平行に、内面にロック突起を有する板状のロック壁が設けられ、該ロック突起は、前記ロックアームの係止突起と係合する下向きの係止面を有し、前記嵌合側壁とロック壁の間には、前記係止面を成形するための金型の抜き孔が設けられ、さらに、前記収納ボックスの嵌合側壁の上端に、前記ロックアームの付け根部の湾曲した外面に当接することで、前記収納ボックス側の金型の抜き孔と前記部品側のスリットの連通を遮断する当接面が設けられていることを特徴とする。
【０００７】
請求項２の発明は、請求項１に記載のロック機構であって、前記ロックアームの両側に上下方向に沿ったスライドガイドが設けられると共に、前記ロック壁の内面に、前記ロック突起の両側に位置させて、前記ロックアーム側のスライドガイドと上下方向スライド自在に係合するスライドガイドが設けられていることを特徴とする。
【発明の効果】
【０００８】
請求項１の発明によれば、収納ボックスのロック壁の内側にある金型の抜き孔と部品のロックアームの付け根部にあるスリットを介して、万一下側から水の飛沫が収納ボックス内に浸入しようとしても、金型の抜き孔とスリットの間は、嵌合側壁の上端の当接面がロックアームの付け根部の外面に当接することにより連通が遮断されているので、当接面よりも中側にまで水が浸入するのを防ぐことができる。つまり、構造上の理由で出来てしまう連通経路を、嵌合側壁の上端の当接面をロックアームの付け根部に当接させることにより塞いで、水の浸入を防いでいるのである。従って、簡単な構成の付加により、構造上の問題の解消が図れた。
【０００９】
請求項２の発明によれば、スライドガイド同士の係合により、スムーズに収納ボックス側のロック突起と部品側の係止突起を係合させることができる。また、スライドガイドが、収納ボックスと部品を嵌合する方向以外の外力を受け止めることができるので、ロック部分に無用な力がかからないようにすることができ、ロック状態の安定が図れる。
【発明を実施するための最良の形態】
【００１０】
以下、本発明の実施形態を図面を参照しながら説明する。
【００１１】
図１は実施形態のロック機構が適用された電気接続箱の斜視図、図２は同電気接続箱の箱本体（収納ボックス）の平面図、図３は同箱本体のコネクタフレーム収納部に設けられているロック部の内側から見た斜視図、図４は同ロック部の上から見た平面図、図５は図４のＡ−Ａ矢視断面図である。また、図６は前記箱本体のコネクタフレーム収納部に収納されるコネクタフレームのロック部の下側から見た斜視図、図７は同ロック部の上から見た平面図、図８は図７のＢ−Ｂ矢視断面図である。また、図９は箱本体にコネクタフレームを収納しロック部同士をロックさせた際のロック機構の平面図、図１０は図９のＣ−Ｃ矢視断面図である。
【００１２】
この電気接続箱は、図１、図２に示すように、合成樹脂製の箱本体（収納ボックス）１の内部の端に、コネクタフレーム収納部２を有しており、その収納部２に、上方からコネクタフレーム（部品）５０を収納できるようになっている。コネクタフレーム５０は、複数のコネクタを装着できるようにしたもので、直方体の枠形状をなしている。そして、箱本体１のコネクタフレーム収納部２の側壁３とコネクタフレーム５０の側壁５１との間に、コネクタフレーム５０をロックするためのロック機構が設けられている。ロック機構は、箱本体１側のロック部１０とコネクタフレーム５０側のロック部６０とからなる。
【００１３】
図６〜図８に示すように、コネクタフレーム５０の垂直な側壁５１の外面には、ロック部６０を構成するロックアーム６１とスライドガイド６８が設けられている。ロックアーム６１は、湾曲した付け根部６２を介して下端が側壁５１に連結されると共に、その湾曲した付け根部６２から側壁５１の外面との間に撓み空間６４を保った状態で上方に延在する、片持支持の帯板状のものとして形成されている。
【００１４】
帯板状のロックアーム６１の下端の湾曲した付け根部６２の幅方向の中間部には、ロックアーム６１の撓み性能を増すためのスリット６５が設けられ、ロックアーム６１の延在方向の中間部の外面には、上向きの係止面６３ａを有した係止突起６３が設けられている。また、レール状のスライドガイド６８は、ロックアーム６１の両側に上下方向に平行に延びる形で形成されている。
【００１５】
また、図３〜図５に示すように、箱本体１のコネクタフレーム収納部２の側壁３の一部には、コネクタフレーム５０の側壁５１が上方から嵌合する嵌合側壁３Ａが設けられ、その嵌合側壁３Ａの外側には、嵌合側壁３Ａと略平行に、内面にロック突起１２を有する板状のロック壁１１が設けられている。ロック突起１２は、ロックアーム６１の係止突起６３と係合する下向きの係止面１２ａを有している。
【００１６】
嵌合側壁３Ａとロック壁１１の間には、前述したロック突起１２の下向きの係止面１２ａを成形するための金型の抜き孔１３が設けられ、嵌合側壁３Ａの上端には、図１０に示すように、ロックアーム６１の付け根部６２の湾曲した外面に当接することで、箱本体１側の金型の抜き孔１３とコネクタフレーム５０側のスリット６５との連通を遮断する当接面１５が設けられている。
【００１７】
また、ロック壁１１の内面には、ロック突起１２の両側に位置させて、ロックアーム６１側のスライドガイド６８と上下方向スライド自在に係合するスライドガイド１８が設けられている。
【００１８】
次に作用を説明する。
【００１９】
コネクタフレーム５０を箱本体１に収納する場合は、上からコネクタフレーム５０を箱本体１のコネクタフレーム収納部２に挿入する。挿入すると、ロックアーム６１が撓むことにより、ロックアーム６１上の係止突起６３が箱本体１側のロック突起１２を乗り越える。そして、乗り越えた後で、係止面６３ａ、１２ａ同士が衝合することにより、係止突起６３とロック突起１２がロックして、コネクタフレーム５０の上方への移動が規制される。
【００２０】
また、ロックアーム６１の付け根部６２の外面が、嵌合側壁３Ａの上端の当接面１５に当接することで、コネクタフレーム５０の下方への移動が規制される。それと同時に、その当接により、箱本体１側の金型の抜き孔１３とコネクタフレーム５０側のスリット６５の連通が遮断されるので、当接面１５よりも中側にまで水が浸入するのを防ぐことができる。
【００２１】
つまり、箱本体１にある金型の抜き孔１３とコネクタフレーム５０のロックアーム６１の付け根部６２にあるスリット６５とが連通していると、その経路を介して下側から水の飛沫が内部に入るおそれがあるが、箱本体１側の当接面１５がロックアーム６１の付け根部６２に密着することで、型抜き孔１３とスリット６５の連通が遮されるので、防水性を高めることができる。従って、簡単な構成の付加により、構造上の問題（即ち、水の浸入しそうな経路が連通してしまうという問題）の解消が図れた。
【００２２】
また、ロックアーム６１の両側にスライドガイド６８を設けて、ロック壁１１側のスライドガイド１８と係合させるようにしているので、スムーズに箱本体１側のロック突起１２とコネクタフレーム５０のロックアーム６１側の係止突起６３を係合させることができる。また、スライドガイド６８、１８が、箱本体１とコネクタフレーム５０を嵌合する方向（上下方向）以外の外力を受け止めることができるので、ロック部分に無用な力がかからないようにすることができ、ロック状態の安定が図れる。
【図面の簡単な説明】
【００２３】
【図１】本発明の実施形態のロック機構が適用された電気接続箱の斜視図である。
【図２】同電気接続箱の箱本体（収納ボックス）の平面図である。
【図３】同箱本体のコネクタフレーム収納部に設けられているロック部の内側から見た斜視図である。
【図４】同ロック部の上から見た平面図である。
【図５】図４のＡ−Ａ矢視断面図である。
【図６】前記箱本体のコネクタフレーム収納部に収納されるコネクタフレームのロック部の下側から見た斜視図である。
【図７】同ロック部の上から見た平面図である。
【図８】図７のＢ−Ｂ矢視断面図である。
【図９】前記箱本体にコネクタフレームを収納しロック部同士をロックさせた際のロック機構の平面図である。
【図１０】図９のＣ−Ｃ矢視断面図である。
【符号の説明】
【００２４】
１  箱本体（収納ボックス）
３Ａ  嵌合側壁
１１  ロック壁
１２  ロック突起
１２ａ  係止面
１３  金型の抜き孔
１５  当接面
１８  スライドガイド
５０  コネクタフレーム（部品）
５１  側壁
６１  ロックアーム
６２  付け根部
６３  係合突起
６３ａ  係止面
６４  撓み空間
６５  スリット
６８  スライドガイド
【図１】
2008167536.tif 000003
【図２】
2008167536.tif 000004
【図３】
2008167536.tif 000005
【図４】
2008167536.tif 000006
【図５】
2008167536.tif 000007
【図６】
2008167536.tif 000008
【図７】
2008167536.tif 000009
【図８】
2008167536.tif 000010
【図９】
2008167536.tif 000011
【図１０】
2008167536.tif 000012